(57)【要約】【課題】PCa梁同士を２または４方向からPCa柱梁接合部で接合し定着させることのできる柱梁接合構造の構築工法および柱梁接合構造を提供する。【解決手段】この柱梁接合構造の構築工法は、PCa梁同士をPCa柱梁接合部において接合することで柱梁接合構造を構築する工法であって、柱梁接合部１１において水平方向の中央部分に機械式充填継ぎ手１５を予め埋め込むとともに、充填継ぎ手の両側に水平方向に延びる挿入孔１６，１７を形成しておき、梁の端部から突き出た梁主筋１２ａを挿入孔に挿入し、その先端部分を充填継ぎ手内に配置し、他方の梁の端部から突き出た梁主筋１３ａをもう一方の挿入孔に挿入し、その先端部分を充填継ぎ手内に配置し、次に、柱梁接合部の中央部分の充填継ぎ手内で梁主筋同士を接合するために充填継ぎ手内に充填材を注入して充填し、次に、梁主筋を挿入孔内に定着させるために充填材を充填継ぎ手内にさらに注入して挿入孔内に充填する。【選択図】図２
2019167689.tif 000002
【特許請求の範囲】
【請求項１】
プレキャストによる梁同士をプレキャストによる柱梁接合部において接合することで柱梁接合構造を構築する工法であって、
前記柱梁接合部において水平方向の中央部分に機械式充填継ぎ手を予め埋め込むとともに、前記充填継ぎ手の両側に水平方向に延びる挿入孔を形成しておき、
梁の端部から突き出た梁主筋を前記挿入孔に挿入し、その先端部分を前記充填継ぎ手内に配置し、
他方の梁の端部から突き出た梁主筋をもう一方の前記挿入孔に挿入し、その先端部分を前記充填継ぎ手内に配置し、
次に、前記柱梁接合部の中央部分の前記充填継ぎ手内で前記梁主筋同士を接合するために前記充填継ぎ手内に充填材を注入して充填し、
次に、前記梁主筋を前記挿入孔内に定着させるために前記充填材を前記充填継ぎ手内にさらに注入して前記挿入孔内に充填する柱梁接合構造の構築工法。
【請求項２】
前記充填継ぎ手は前記充填材の注入口を有し、
前記充填材の注入管を前記柱梁接合部の外面から前記注入口まで延びるように前記柱梁接合部に予め埋め込んでおき、
前記注入管と前記注入口とを通して前記充填材を前記充填継ぎ手内に注入する請求項１に記載の柱梁接合構造の構築工法。
【請求項３】
前記充填材の前記充填継ぎ手内への充填後、前記注入管内に充填材を注入し、前記注入管内に前記充填材を充填する請求項２に記載の柱梁接合構造の構築工法。
【請求項４】
前記挿入孔を前記柱梁接合部内に配置したシース管により形成する請求項１乃至３のいずれかに記載の柱梁接合構造の構築工法。
【請求項５】
プレキャストによる梁とプレキャストによる柱梁接合部との柱梁接合構造であって、
前記柱梁接合部は、梁の端部から突き出た梁主筋と他方の梁の端部から突き出た梁主筋とを接合するために水平方向の中央部分に埋め込まれた機械式充填継ぎ手を備え、
前記梁主筋が前記充填継ぎ手の両側で水平方向に延びる挿入孔を通して前記充填継ぎ手内に位置し、前記他方の梁主筋がもう一方の前記挿入孔を通して前記充填継ぎ手内に位置し、前記充填継ぎ手内に充填された充填材により前記柱梁接合部の中央部分で前記梁主筋同士が接合されているとともに、前記挿入孔内に充填された前記充填材により前記梁主筋が定着されている柱梁接合構造。
【発明の詳細な説明】
【技術分野】
【０００１】
本発明は、柱梁接合構造を構築する工法および柱梁接合構造に関する。
【背景技術】
【０００２】
鉄筋コンクリート構造（RC造）の建物の柱、梁をプレキャスト（以下、「PCa」と略す場合がある。）部材とした場合、その柱梁接合部における梁主筋は、通し配筋となるか、または、柱梁接合部内で機械式継ぎ手となる場合が多い（たとえば、特許文献１参照）。一方、柱梁接合部もPCa化する構工法がいくつか提案されており、柱梁接合部を含むすべての部材がPCa化された構工法として、LRV工法とスクライム工法の２工法が実用化されている。
【０００３】
（１）LRV工法
LRV工法（Left Right Vertical Method）の概要を図５に示す。同工法においては、図５（ａ）のように、PCa柱梁接合部から両方向に半スパン分延びるPCa梁（LRビーム）の梁主筋は、接合されるPCa梁に内蔵された機械式継ぎ手にグラウト接合される。PCa梁の接合後に、図５（ｂ）（ｃ）のように、PCa柱梁接合部の柱主筋貫通孔をPCa柱下端の柱主筋（余長≧接合部高さ＋定着長さ）が貫通し、かつ、１層下のPCa柱（Vコラム）に内蔵された機械式継ぎ手にグラウト定着する機構が基本となっている。
【０００４】
（２）スクライム-Ｈ工法
スクライム-Ｈ工法（Sumitomo Mitsui Quick RC Integration-Horizontal Method）の概要を図６に示す。図６（ａ）〜（ｄ）のように、同工法においては、PCa柱は、上部が柱梁接合部と一体となった形状で、PCa梁の梁主筋は、（柱せい＋定着長さ）以上の余長を有し、片側からPCa柱梁接合部を貫通し、逆側のPCa梁の雌孔（機械式継ぎ手）にグラウト定着する機構が基本となっている。基本的に、片側端部より１方向に順次組み立てていく施工手順となる。
【０００５】
（３）TT−JOINT工法
さらにTT-JOINT工法は、柱梁接合部の中央で定着金物を両方向より定着させて、柱梁接合部には繊維補強コンクリートを打設し、せん断補強筋は配筋しないという構工法となっている。
【先行技術文献】
【特許文献】
【０００６】
【特許文献１】特開2017-179997号公報
【特許文献２】特開2017-222993号公報
【発明の概要】
【発明が解決しようとする課題】
【０００７】
上述の構工法は、いずれもこれまで常識的に捉えられていた鉄筋の接合方法を、一方は部材全体を貫通し、なおかつ逆側の部材に定着させると言う、発想の転換を図り、他方は、部材中央で両方からの定着で、部材内で一体化を図ると言う、画期的な継ぎ手方法となっている。もっともせん断補強筋不要と繊維補強コンクリートの適用の組合せについては、都度、構造検証が必要となって来る。
【０００８】
建築、土木ともに、生産性向上が叫ばれているが、部材のPCa化（工場生産化）が生産性向上に大きく寄与することは、論を待たないところである。その適用範囲が大きければ大きいほど、現場での施工労力が削減され、工期も大幅に短縮される。PCa化は、柱、梁の各部材については、様々な構工法が提案され、実用化されているが、柱梁接合部とスラブについては、まだ開発途上と言わざるを得ない。
【０００９】
柱梁接合部については、柱主筋に加えて所要量のせん断補強筋が含まれ、さらに梁主筋がXY両方向から、また低層部においては上下２段筋として入り込んでくるため、柱・梁主筋とも接合部内で継ぎ手を構成することは至難と言わざるを得ない。たとえば、特許文献２は、プレキャストによる柱、梁、接合部にも適用可能な接合部構造を開示するが、その構造は、機械式継ぎ手が接合部の外側に配置されるものである（段落0037，図３，図４）。
【００１０】
LRV工法は、上層のPCa柱の下端に延伸した柱主筋が、スクライム−H工法は片方向から接合するPCa梁から接合部側に延伸した梁主筋が、それぞれ柱梁接合部を貫通し、多端の部材に収納された継ぎ手にグラウト定着する接合方法を基本としている。しかしながら、これらの工法は、片側から順次部材を接合しながらスパン間のフレームを構築していくため、X・Y方向とも建物の平面端部から他端に向かう施工手順となり、最終端は、いずれも最終部材にPCa梁部材の梁主筋を差し込んで定着させる納まりとなる。その場合、両方向から梁主筋を定着できる納まりのPCa柱梁接合部の構築工法があれば、最終端の部材として適用することが可能となるばかりでなく、建物平面の両端から中央に向けてPCa部材の組立て施工が可能となる。
【００１１】
本発明は、上述のような従来技術の問題に鑑み、プレキャストによる梁同士を２または４方向からプレキャストによる柱梁接合部で接合し定着させることのできる柱梁接合構造の構築工法および柱梁接合構造を提供することを目的とする。
【課題を解決するための手段】
【００１２】
上記目的を達成するための柱梁接合構造の構築工法は、PCa梁同士をPCa柱梁接合部において接合することで柱梁接合構造を構築する工法であって、前記柱梁接合部において水平方向の中央部分に機械式充填継ぎ手を予め埋め込むとともに、前記充填継ぎ手の両側に水平方向に延びる挿入孔を形成しておき、梁の端部から突き出た梁主筋を前記挿入孔に挿入し、その先端部分を前記充填継ぎ手内に配置し、他方の梁の端部から突き出た梁主筋をもう一方の前記挿入孔に挿入し、その先端部分を前記充填継ぎ手内に配置し、次に、前記柱梁接合部の中央部分の前記充填継ぎ手内で前記梁主筋同士を接合するために前記充填継ぎ手内に充填材を注入して充填し、次に、前記梁主筋を前記挿入孔内に定着させるために前記充填材を前記充填継ぎ手内にさらに注入して前記挿入孔内に充填する。
【００１３】
この柱梁接合構造の構築工法によれば、柱梁接合部をプレキャスト部材にするとき、水平方向の中央部分に機械式充填継ぎ手を予め埋め込み、充填継ぎ手の両側に水平方向に延びる挿入孔を形成しておき、一方のPCa梁の梁主筋を柱梁接合部の挿入孔に挿入し充填継ぎ手内に配置し、他方のPCa梁の梁主筋をもう一方の挿入孔に挿入し充填継ぎ手内に配置してから、柱梁接合部の中央部分の充填継ぎ手内に充填材を注入して充填することで、梁主筋同士を接合するとともに、充填継ぎ手内に充填材をさらに注入し挿入孔内に充填することで梁主筋を挿入孔内に定着させる。このようにして、PCa梁同士を２または４方向からPCa柱梁接合部に接合し定着させることができる。
【００１４】
上記柱梁接合構造の構築工法において、前記充填継ぎ手は前記充填材の注入口を有し、前記充填材の注入管を前記柱梁接合部の外面から前記注入口まで延びるように前記柱梁接合部に予め埋め込んでおき、前記注入管と前記注入口とを通して前記充填材を前記充填継ぎ手内に注入することが好ましい。
【００１５】
また、前記充填材の前記充填継ぎ手内への充填後、前記注入管内に充填材を注入し、前記注入管内に前記充填材を充填することが好ましい。
【００１６】
また、前記挿入孔を前記柱梁接合部内に配置したシース管により形成することが好ましい。
【００１７】
上記目的を達成するための柱梁接合構造は、PCa梁とPCa柱梁接合部との柱梁接合構造であって、前記柱梁接合部は、梁の端部から突き出た梁主筋と他方の梁の端部から突き出た梁主筋とを接合するために水平方向の中央部分に埋め込まれた機械式充填継ぎ手を備え、前記梁主筋が前記充填継ぎ手の両側で水平方向に延びる挿入孔を通して前記充填継ぎ手内に位置し、前記他方の梁主筋がもう一方の前記挿入孔を通して前記充填継ぎ手内に位置し、前記充填継ぎ手内に充填された充填材により前記柱梁接合部の中央部分で前記梁主筋同士が接合されているとともに、前記挿入孔内に充填された前記充填材により前記梁主筋が定着されている。
【００１８】
この柱梁接合構造によれば、PCa柱梁接合部において水平方向の中央部分に埋め込まれた機械式充填継ぎ手内にPCa梁の梁主筋と他方のPCa梁の梁主筋とが位置し、充填継ぎ手内に充填された充填材により梁主筋同士が接合されているとともに、挿入孔内に充填された充填材により梁主筋が挿入孔内で定着されている。このように、PCa梁とPCa柱梁接合部とを柱梁接合部で接合し定着させることのできる柱梁接合構造を実現することができる。
【発明の効果】
【００１９】
本発明によれば、PCa梁同士を２または４方向からPCa柱梁接合部で接合し定着させることのできる柱梁接合構造の構築工法および柱梁接合構造を提供することができる。
【図面の簡単な説明】
【００２０】
【図１】本実施形態においてPCa梁同士をPCa柱梁接合部において接合し定着させた柱梁接合構造を示す断面図である。
【図２】図１の柱梁接合構造の接合定着前の状態を示す断面図である。
【図３】図１の充填継ぎ手内と挿入孔内に位置する梁主筋を示す要部断面図である。
【図４】本実施形態による柱梁接合構造の構築工法の工程Ｓ０１〜Ｓ１１を説明するためのフローチャートである。
【図５】従来のLRV工法の主な工程（ａ）〜（ｃ）を示す図である。
【図６】従来のスクライム-Ｈ工法の主な工程（ａ）〜（ｄ）を示す図である。
【発明を実施するための形態】
【００２１】
以下、本発明を実施するための形態について図面を用いて説明する。図１は、本実施形態においてPCa梁同士をPCa柱梁接合部において接合し定着させた柱梁接合構造を示す断面図である。図２は、図１の柱梁接合構造の接合定着前の状態を示す断面図である。図３は、図１の充填継ぎ手内と挿入孔内に位置する梁主筋を示す要部断面図である。
【００２２】
図１〜図３のように、本実施形態による柱梁接合構造１０は、PCa梁１２，１３をPCa柱梁接合部１１内で接合し定着させたものである。
【００２３】
PCa柱梁接合部１１には、複数の柱主筋１１ｄと、柱主筋１１ｄに直交して接続する複数の柱内せん断補強筋１１ｅとが配置されている。また、PCa梁１２，１３には、それぞれ、複数の梁主筋１２ａ，１３ａと、梁主筋１２ａ、１３ａに直交して接続する複数のせん断補強筋１２ｂ，１３ｂとが配置されている。複数の梁主筋１２ａ，１３ａは、上下二段に配置され、柱梁接合部１１側に突き出ている。
【００２４】
PCa柱梁接合部１１には、プレキャストのとき、水平方向中央部に機械式充填継ぎ手１５が配置され、充填継ぎ手１５の両側に鋼管からなるシース管１６，１７が配置され、充填継ぎ手１５とシース管１６，１７が埋め込まれる。充填継ぎ手１５は、その両方向からシース管１６，１７を通して梁主筋１２ａ，１３ａを挿入できるように、PCa柱梁接合部１１の中央部両側に挿入口１５ｃ，１５ｄ（図３）が向くように配置される。また、シース管１６，１７により、PCa梁１２，１３の梁主筋１２ａ、１３ａが挿入される挿入孔が形成される。充填継ぎ手１５およびシース管１６，１７は、梁主筋１２ａ、１３ａの数に対応して複数設置される。
【００２５】
機械式充填継ぎ手１５は、その水平方向の中央部に充填材の注入のための注入口１５ａを有し、注入口１５ａには充填材の注入管２０が接続されている。注入管２０は、鋼管等からなり、柱梁接合部１１の上面１１ａから充填継ぎ手１５の注入口１５ａまで延びるように柱梁接合部１１に予め埋め込まれる。上面１１ａには注入管２０の注入開口が形成され、この注入開口からグラウト材等の充填材が注入される。
【００２６】
図３のように、充填継ぎ手１５内に梁主筋１２ａ，１３ａが位置することにより隙間からなる被充填空間１５ｂが形成される。注入管２０を通して注入口１５ａからグラウト材等の充填材を被充填空間１５ｂに注入して充填することで、充填継ぎ手１５内で梁主筋１２ａ、１３ａが接合し定着する。
【００２７】
また、シース管１６，１７内に梁主筋１２ａ，１３ａが位置することにより隙間からなる被充填空間１６ａ，１７ａが形成される。充填継ぎ手１５内の被充填空間１５ｂにさらに充填材を注入し、被充填空間１６ａ，１７ａに充填材を充填することで、シース管１６，１７内に梁主筋１２ａ，１３ａが定着する。
【００２８】
なお、図３に示す機械式充填継ぎ手１５のカプラ長Ｌｃ、充填継ぎ手１５内の梁主筋１２ａ，１３ａの挿入長さＬｉ、充填継ぎ手１５内およびシース管１６，１７内の梁主筋１２ａ，１３ａの定着長Ｌについては、使用する機械式充填継ぎ手の仕様により決定される。
【００２９】
次に、本実施形態による柱梁接合構造を構築する工法の主要な工程Ｓ０５〜Ｓ１０について図１〜図４を参照して説明する。図４は、本実施形態による柱梁接合構造の構築工法の工程Ｓ０１〜Ｓ１１を説明するためのフローチャートである。
【００３０】
図４の工程Ｓ０１〜Ｓ０４は、柱梁接合部１１への柱部の据え付け、その据付け精度確認、必要に応じた柱梁接合部１１のＸ・Ｙ・Ｚの各方向での位置調整、および、柱主筋の定着用充填材の注入である。なお、柱梁接合部１１および梁１２，１３は、予め工場でプレキャストされ、施工現場に搬入されている。
【００３１】
次に、図１〜図３のように、柱梁接合部１１に対し片側の梁１２を据え付け（Ｓ０５）、次に、逆側の梁１３を据え付ける（Ｓ０６）。これにより、梁主筋１２ａ、１３ａが柱梁接合部１１のシース管１６，１７内に挿入され、梁主筋１２ａ、１３ａの先端部分が充填継ぎ手１５内に位置する。
【００３２】
次に、柱梁接合部１１に対する梁１２，梁１３の据え付け精度を確認し（Ｓ０７）、梁１２，梁１３が所定位置に納まるように必要に応じてＸ・Ｙ・Ｚの各方向で梁１２，梁１３の位置の調整を行う（Ｓ０８）。
【００３３】
次に、柱梁接合部１１の上面１１ａの注入開口から注入管２０を通して充填継ぎ手１５内に梁主筋定着用のグラウト材等の充填材を注入する（Ｓ０９）。図３の充填継ぎ手１５内の隙間からなる空間１５ｂの容積に相当する量の充填材を注入することで、充填継ぎ手１５内の空間１５ｂが充填材で満たされ、片側の梁主筋１２ａが充填継ぎ手１５に接合し、逆側の梁主筋１３ａも充填継ぎ手１５に接合する。
【００３４】
次に、充填材をさらに注入することで、シース管１６，１７内の空間１６ａ，１７ａが充填材で満たされ、シース管１６，１７による挿入孔内に梁主筋１２ａ，１３ａが定着する（Ｓ１０）。なお、充填材をさらに注入し、注入管２０内を充填材で充填し、これにより、柱梁接合部１１の上面１１ａの注入開口が塞がれる。
【００３５】
次に、必要に応じて、次の柱梁接合部まで移動し（Ｓ１１）、同様の工程を繰り返す。
【００３６】
以上のように、本実施形態の柱梁接合構造１０およびその構築工法によれば、柱梁接合部１１内に機械式充填継ぎ手１５を水平方向中央部に配置し、PCa梁１２，１３の梁主筋１２ａ，１３ａを、充填継ぎ手１５内にその両側から挿入し、予め内蔵させた注入管２０から充填材を充填継ぎ手１５内に充填して接合し、さらに、内蔵された充填継ぎ手１５までの挿入孔内に充填し定着させことにより、柱梁接合部１１をプレキャスト部材としても、同一方向に延びるPCa梁１２，１３を２方向から柱梁接合部１１に接合し定着させることができる。
【００３７】
なお、本実施形態による柱梁接合構造を構築する工法については、各部材の寸法、配筋、設計基準強度を同一とした構造性能確認試験により所要の構造性能を検証した上で、実用に供することが好ましい。また、柱梁接合部１１内のせん断補強筋比は、0.2％以上とするが、これも構造性能確認実験で検証した上で適用することが好ましい。
【００３８】
以上のように本発明を実施するための形態について説明したが、本発明はこれらに限定されるものではなく、本発明の技術的思想の範囲内で各種の変形が可能である。たとえば、図１，図２では、PCa梁を２方向からPCa柱梁接合部で接合し定着させる例を説明したが、PCa梁を４方向からPCa柱梁接合部で接合し定着させることも可能である。
【００３９】
また、図１，図２においては、複数の梁主筋は、上下二段に配置されているが、本発明は、これに限定されず、さらに多段に配置してもよく、また、配置位置や数を変更してもよい。
【産業上の利用可能性】
【００４０】
本発明の柱梁接合構造の構築工法および柱梁接合構造によれば、PCa梁同士を２または４方向からPCa柱梁接合部で接合し定着させることができるので、建物の柱梁接合構造を工場生産可能なプレキャスト部材から構築でき、建物構築の際の現場施工部分を減らし、現場での施工労力が削減され、工期も大幅に短縮でき、このため、生産性向上に大きく寄与できる。
【符号の説明】
【００４１】
１０ 柱梁接合構造
１１ 柱梁接合部
１２，１３ 梁
１２ａ，１３ａ 梁主筋
１５ 機械式充填継ぎ手、充填継ぎ手
１５ａ 注入口
１５ｂ 被充填空間
１５ｃ，１５ｄ 挿入口
１６，１７ シース管、挿入孔
１６ａ，１７ａ 被充填空間
２０ 注入管
【図１】
2019167689.tif 000003
【図２】
2019167689.tif 000004
【図３】
2019167689.tif 000005
【図４】
2019167689.tif 000006
【図５】
2019167689.tif 000007
【図６】
2019167689.tif 000008